(57)【要約】【課題】  建築物と基礎との間に設けられることにより、建築物の重量を支持しながら、地震の振動を吸収する支持クッションを提供する。【解決手段】  ベース１０と、ステンレスプレート２０と、ＰＴＦＥ層３０と、突出鋼板４０と、ゴムパッド５０と、ゴム取付座６０と、上プレート７０とを具え、前記ベース１０は、基礎に設置されると共に、上側に球状凹面が形成され、前記ステンレスプレート２０は、ベース１０の球状凹面と対応する球状面を有すると共に、該球状凹面に設けられ、前記ＰＴＦＥ層３０は、ステンレスプレートの球状面に設けられ、前記突出鋼板４０は、該ＰＴＦＥ層の上側に設けられ、前記ゴムパッド５０は、突出鋼板の上側に設けられ、前記ゴム取付座６０は、下面にゴムパッドと突出鋼板を収容するための凹部が形成され、前記上プレート７０は、ゴム取付座の上側に設けられることを特徴とする。【選択図】  図２
0003129330.tif 000002
【実用新案登録請求の範囲】
【請求項１】
ベースと、ステンレスプレートと、ＰＴＦＥ層と、突出鋼板と、ゴムパッドと、ゴム取付座と、上プレートとを具え、
前記ベースは、基礎に設置されると共に、上側に球状凹面が形成され、
前記ステンレスプレートは、ベースの球状凹面と対応する球状面を有すると共に、該球状凹面に設けられ、
前記ＰＴＦＥ層は、ステンレスプレートの球状面に設けられ、
前記突出鋼板は、該ＰＴＦＥ層の上側に設けられ、
前記ゴムパッドは、突出鋼板の上側に設けられ、
前記ゴム取付座は、下面にゴムパッドと突出鋼板を収容するための凹部が形成され、
前記上プレートは、ゴム取付座の上側に設けられることを特徴とする支持クッション。
【請求項２】
前記突出鋼板の下側に球状面と対応する球状凸面が設けられる請求項１の支持クッション。
【請求項３】
前記上プレートの周縁とベースとの間に難燃プレートが設けられる請求項１の支持クッション。
【考案の詳細な説明】
【技術分野】
【０００１】
本考案は、特に建築物と基礎との間に設けられることにより、建築物の重量を支持しながら、地震の振動を吸収する支持クッションに関するものである。
【背景技術】
【０００２】
図６に示すように、建築物と基礎との間に設けられることにより、地震の振動を吸収する従来の支持クッションは、上下に畳んでいる下プレート（８０）と上プレート（８１）を有し、該上プレート（８１）が建築物の底面と接触され、下プレート（８０）が基礎と接触され、下プレート（８０）と上プレート（８１）との間に、中央に鉛からなる中心部（８２）が設けられると共に、該中心部（８２）の外側に複数の鋼板（８３）と複数のゴム層（８４）が間隔で設置されるクッション部材が設けられる構造である。しかし、この従来の支持クッションは、体積が大きいし、コストが高いし、取付し難いという問題があった。
【０００３】
図７に示すように、従来の他の支持クッションは、平面スライド式支持クッションであって、基礎と接触されるベース（９０）を有し、該ベース（９０）上面に凹部が形成され、該凹部にゴムパッド（９１）が設けられると共に、該ゴムパッド（９１）の上に支持部材（９２）が設けられ、該支持部材（９２）の上面にＰＴＦＥ層（９３）（四フッ化エチレン樹脂）が設置され、該ＰＴＦＥ（９３）の上にステンレスプレート（９４）が設けられると共に、該ステンレスプレート（９４）の上面に建築物の底面と接触する上プレート（９５）が設けられ、支持部材（９２）の周縁とベース（９０）との間にゴムやプラスチックなどリング状のワッシャ（９６）が設けられる。この従来の支持クッションは、構造が薄いので、低コスト化を達成できるが、基礎面が窪んで、又は傾斜する場合、建築物が傾斜や摺動し易いという問題があった。
【０００４】
図８に示すように、従来の他の支持クッションは、双球面抵抗式支持クッションであって、上面に球状凹面である下プレート（９７）と、下面に球状凹面である上プレート（９８）とを備え、上プレート（９８）と下プレート（９７）との間に摺動可能な双凸面部材（９９）が設けられる。
【考案の開示】
【考案が解決しようとする課題】
【０００５】
しかしながら、前記従来の支持クッションは、長時間に使用すると、双凸面部材（９９）と上プレート（９８）と下プレート（９７）との摩損により、クッション効果を低減する問題があり、更に、双凸面部材（９９）の製造コストが高いという問題もあった。
【０００６】
そこで、案出されたのが本考案であって、建築物と基礎との間に設けられることにより、建築物の重量を支持しながら、地震の振動を吸収する支持クッションを提供することを目的としている。
【課題を解決するための手段】
【０００７】
本願の請求項１の考案は、ベースと、ステンレスプレートと、ＰＴＦＥ層と、突出鋼板と、ゴムパッドと、ゴム取付座と、上プレートとを具え、
前記ベースは、基礎に設置されると共に、上側に球状凹面が形成され、
前記ステンレスプレートは、ベースの球状凹面と対応する球状面を有すると共に、該球状凹面に設けられ、
前記ＰＴＦＥ層は、ステンレスプレートの球状面に設けられ、
前記突出鋼板は、該ＰＴＦＥ層の上側に設けられ、
前記ゴムパッドは、突出鋼板の上側に設けられ、
前記ゴム取付座は、下面にゴムパッドと突出鋼板を収容するための凹部が形成され、
前記上プレートは、ゴム取付座の上側に設けられることを特徴とする支持クッション、を提供する。
【０００８】
本願の請求項２の考案は、前記突出鋼板の下側に球状面と対応する球状凸面が設けられることを特徴とする請求項１に記載の支持クッション、を提供する。
【０００９】
本願の請求項３の考案は、前記上プレートの周縁とベースとの間に難燃プレートが設けられることを特徴とする請求項１に記載の支持クッション、を提供する。
【考案の効果】
【００１０】
本考案は上記の課題を解決するものであり、以下に示すような効果を達成できる。
１．より大きな圧力を受けることができ、有効的なクッション効果を発揮することができる。
２．難燃プレートが設けられることにより、優れた防火効果を有する。
３．抵抗の低いＰＴＦＥ層を有するので、優れたクッション効果を有する。
４．部材の数量が少ないため、低コスト化を図ることができる。
５．基礎面が窪んだり、又は傾斜している場合、球状凹面と球状凸面の配合により、自動的にバランスする効果を有する。
【考案を実施するための最良の形態】
【００１１】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００１２】
図１は本考案に係る支持クッションの斜視図であり、図２は本考案に係る支持クッションの縦方向断面図であり、図３は図２の部分拡大断面図であり、図４は図３の部分拡大断面図であり、図５は本考案に係る支持クッションの他の実施例を示す部分拡大断面図である。
【００１３】
図１乃至図４に示すように、本考案に係る支持クッションは、ベース（１０）と、ステンレスプレート（２０）と、ＰＴＦＥ層（３０）と、突出鋼板（４０）と、ゴムパッド（５０）と、ゴム取付座（６０）と、上プレート（７０）とを具え、
前記ベース（１０）は、基礎に設置されると共に、上側に球状凹面（１１）が形成され、前記ステンレスプレート（２０）は、ベース（１０）の球状凹面（１１）と対応する球状面（２１）を有すると共に、該球状凹面（１１）に設けられ、前記ＰＴＦＥ層（３０）は、ステンレスプレート（２０）の球状面（２１）に設けられ、前記突出鋼板（４０）は、該ＰＴＦＥ層（３０）の上側に設けられると共に、下側に球状面（２１）と対応する球状凸面（４１）が設けられ、前記ゴムパッド（５０）は、突出鋼板（４０）の上側に設けられ、前記ゴム取付座（６０）は、下面にゴムパッド（５０）と突出鋼板（４０）を収容するための凹部（符号なし）が形成され、前記上プレート（７０）は、ゴム取付座（６０）の上側に設けられると共に、周縁とベース（１０）との間に難燃プレート（７１）が設けられる。
【００１４】
前記ＰＴＦＥ層（３０）は、抵抗が低い接触効果を提供でき、前記ゴムパッド（５０）は、より大きい圧力を受ける効果や、ＰＴＦＥ層（３０）への圧力を均一に分散する効果を提供でき、前記ゴム取付座（６０）は、支持クッションの重量を向上すると共に、傾斜現象を防ぐ効果を提供できる。
【００１５】
また、図５に示すように、前記ＰＴＦＥ層（３０）の面積が突出鋼板（４０）の底面より広くなってもよい。
【産業上の利用可能性】
【００１６】
本考案は上記の構成を有するので、以下に示すような効果を達成できる。
１．より大きな圧力を受けることができ、有効的なクッション効果を発揮することができる。
２．難燃プレートが設けられることにより、優れた防火効果を有する。
３．抵抗の低いＰＴＦＥ層を有するので、優れたクッション効果を有する。
４．部材の数量が少ないため、低コスト化を図ることができる。
５．基礎面が窪んだり、又は傾斜している場合、球状凹面と球状凸面の配合により、自動的にバランスする効果を有する。
【図面の簡単な説明】
【００１７】
【図１】本考案に係る支持クッションの斜視図である。
【図２】本考案に係る支持クッションの縦方向断面図である。
【図３】図２の部分拡大断面図である。
【図４】図３の部分拡大断面図である。
【図５】本考案に係る支持クッションの他の実施例を示す部分拡大断面図である。
【図６】従来の支持クッションの部分断面斜視図である。
【図７】従来の支持クッションの断面図である。
【図８】従来の支持クッションの断面図である。
【符号の説明】
【００１８】
１０        ベース
１１        球状凹面
２０        ステンレスプレート
２１        球状面
３０        ＰＴＦＥ層
４０        突出鋼板
４１        球状凸面
５０        ゴムパッド
６０        ゴム取付座
７０        上プレート
７１        難燃プレート
８０        下プレート
８１        上プレート
８２        中心部
８３        鋼板
８４        ゴム層
９０        ベース
９１        ゴムパッド
９２        支持部材
９３        ＰＴＦＥ層
９４        ステンレスプレート
９５        上プレート
９６        ワッシャ
９７        下プレート
９８        上プレート
９９        双凸面部材
【図１】
0003129330.tif 000003
【図２】
0003129330.tif 000004
【図３】
0003129330.tif 000005
【図４】
0003129330.tif 000006
【図５】
0003129330.tif 000007
【図６】
0003129330.tif 000008
【図７】
0003129330.tif 000009
【図８】
0003129330.tif 000010